(57)【要約】【課題】煩雑な接続形態をとることなく安全に複数の医療機器からのデータを管理・保存する。【解決手段】患者を識別することが可能な情報を有するデータ伝送（入力端末装置６１→手術室サーバ５、室内ＴＶカメラ装置４→手術室サーバ５、手術室サーバ５→院内サーバ８１）では有線、患者を識別することが可能な情報を有しないデータ伝送（システムコントローラ２０→手術室サーバ５、患者モニタシステム３→手術室サーバ５）では無線伝送を行う。【選択図】  図１
2005040202.tif 000002
【特許請求の範囲】
【請求項１】
複数の医療機器を用いて患者に対して外科手術を行う外科手術システムにおいて、
前記複数の医療機器は、
前記患者を識別することが可能な情報を有するデータを有線で伝送する有線伝送医療機器群と、
前記患者を識別することが可能な情報を有しないデータを無線で伝送する無線伝送医療機器群と
からなることを特徴とする外科手術システム。
【発明の詳細な説明】
【０００１】
【発明の属する技術分野】
本発明は、複数の医療機器を用いて外科手術を行う外科手術システムに関する。
【０００２】
【従来の技術】
近年では内視鏡を用いた外科手術なども行われており、この内視鏡外科手術では、腹腔内を膨張させるために用いる気腹装置や手技を行うための処置装置である、生体組織を切除あるいは凝固する高周波焼灼装置などの手術機器、患者の生体情報（バイタルサイン）を得る生体情報管理装置等を内視鏡装置装置に加えることによって、内視鏡で観察しながら各種処置が行える。
【０００３】
【発明が解決しようとする課題】
内視鏡外科手術等を行う外科手術システムにおいては、近年、手術中の各画像データ、生体情報（バイタルサイン）及び機器動作データを手術室サーバ等に伝送することで、術中のみならず術後においても患者の処置状況を一元的に管理することが求められる。また、各医療機器からのデータには患者に関する個人情報が添付されていることが多いために、データ伝送はセキュリティ上、重要な情報管理問題となっている。
【０００４】
そのため、従来の外科手術システムは、限られた空間の手術室に複数の医療機器を配置して、これら医療機器を手術室サーバにケーブル等で有線により接続し、上記データを伝送するが、手術室内でケーブルが煩雑に配線されることとなり、手技に支障が出るといった問題がある。
【０００５】
本発明は、上記事情に鑑みてなされたものであり、煩雑な接続形態をとることなく安全に複数の医療機器からのデータを管理・保存することのできる外科手術システムを提供することを目的としている。
【０００６】
【課題を解決するための手段】
本発明の外科手術システムは、複数の医療機器を用いて患者に対して外科手術を行う外科手術システムにおいて、前記複数の医療機器が、前記患者を識別することが可能な情報を有するデータを有線で伝送する有線伝送医療機器群と、前記患者を識別することが可能な情報を有しないデータを無線で伝送する無線伝送医療機器群とからなる。
【０００７】
【発明の実施の形態】
以下、図面を参照しながら本発明の実施の形態について述べる。
【０００８】
図１及び図２は本発明の一実施の形態に係わり、図１は外科手術システムの構成を示す構成図、図２は図１の外科手術システムの変形例の構成を示す構成図である。
【０００９】
図１に示すように、本実施の形態の外科手術システム１は手術室２に設けられた内視鏡手術装置９、患者モニタシステム３、室内ＴＶカメラ４及び手術室サーバ５から構成され、手術室２内には、患者６が横たわる患者ベッド７と、カート８に搭載された内視鏡手術装置９とが配置される。
【００１０】
カート８には、医療機器として例えば電気メス１１、気腹装置１２、ＣＣＵ１３及び光源装置１４等の装置類が載置されている。また、カート８には、表示装置１５及び操作パネル１６等が載置されている。表示装置１５は、内視鏡画像等を表示する例えばＴＶモニタである。
【００１１】
さらに、カート８には、システムコントローラ２０が載置されている。このシステムコントローラ２０には、上述の電気メス１１、気腹装置１２、ＣＣＵ１３及び光源装置１４とが、図示しない通信線を介して例えばＲＳ−２３２Ｃ等のシリアル通信規格で接続されている。
【００１２】
システムコントローラ２０には電波無線Ｉ／Ｆ２１が設けられ、手術室２内に設けられた手術室サーバ５と無線ＬＡＮ通信により信号の送受が可能となっている。
【００１３】
また、手術室２には患者モニタシステム３が設けられており、この患者モニタシステム３は、図示はしないが心電計、パルスオキシメータ及びカプノメータ等のバイタルサイン測定器より構成され、電波無線Ｉ／Ｆ３０により手術室サーバ５と無線ＬＡＮ通信により信号の送受が可能となっている。これにより、患者６の心電図、血中酸素飽和度、呼気炭酸ガス濃度等の生体情報を測定することができる。
【００１４】
さらに手術室２には、手技の状況を撮像する室内ＴＶカメラ装置４が設けられている。この室内ＴＶカメラ装置４は有線により手術室サーバ５に接続され、術中の様子が手術室サーバ５に記録されるようになっている。
【００１５】
また、手術室サーバ５は、入力端末装置６１を有しており、入力端末装置６１より患者情報（姓名、年齢、性別、患者ＩＤ等）、手技情報（手技日時、手技名、担当医名等）を手術室サーバ５に入力される。入力端末装置６１は術室サーバ５と有線により接続される。
【００１６】
また、手術室サーバ５は、有線の院内ＬＡＮ７１により手術室２外に設けられた院内サーバ８１に接続されており、院内サーバ８１は患者の各データ（診療、検査及び手技に関する各種データ）を患者単位で一元的に管理することができるようになっている。
【００１７】
このように構成された本実施の形態では、手技が開始される前に入力端末装置６１を用いて患者の患者情報（姓名、年齢、性別、患者ＩＤ等）、手技情報（手技日時、手技名、担当医名等）が手術室サーバ５に入力される。
【００１８】
そして、手技が開始されると、ＣＣＵ１３で得られた内視鏡動画像データや静止画像データ、電気メス１１及び気腹装置１２の設定データがシステムコントローラ２０を介して電波無線Ｉ／Ｆ２１により無線ＬＡＮ通信により手術室サーバ５に伝送される。このときシステムコントローラ２０が伝送するデータには患者が識別可能な情報は含まれない。
【００１９】
また、同時に患者モニタシステム３を介して患者６の心電図、血中酸素飽和度、呼気炭酸ガス濃度等の生体情報が電波無線Ｉ／Ｆ３０により無線ＬＡＮ通信により手術室サーバ５に伝送される。このとき患者モニタシステム３が伝送するデータには患者が識別可能な情報は含まれない。
【００２０】
さらに、手技の状況は、室内ＴＶカメラ装置４により撮像され、撮像された室内画像データが有線により手術室サーバ５に伝送される。室内ＴＶカメラ装置４により撮像された画像データには患者の顔等が含まれ、患者を識別可能な情報となっているため、セキュリティ上、有線伝送を行っている。
【００２１】
これら手術室サーバ５に伝送されたデータは、患者の患者情報（姓名、年齢、性別、患者ＩＤ等）、手技情報（手技日時、手技名、担当医名等）と共に手術室サーバ５に記録され、手技が終了すると手術室サーバ５より院内サーバ８１に有線により伝送され、患者単位で一元的に管理される。
【００２２】
このように本実施の形態では、患者を識別することが可能な情報を有するデータ伝送（入力端末装置６１→手術室サーバ５、室内ＴＶカメラ装置４→手術室サーバ５、手術室サーバ５→院内サーバ８１）では有線、患者を識別することが可能な情報を有しないデータ伝送（システムコントローラ２０→手術室サーバ５、患者モニタシステム３→手術室サーバ５）では無線伝送を行っているので、煩雑な接続形態をとることなく安全に複数の医療機器からのデータを管理・保存することができる。
【００２３】
なお、例えば図２に示すように、患者モニタシステム３に患者情報を入力する入力装置１００が設けられ、患者モニタシステム３に患者情報が入力された場合には、有線により手術室サーバ５にデータを伝送する。図示はしないがシステムコントローラ２０でも同様である。
【００２４】
本発明は、上述した実施の形態に限定されるものではなく、本発明の要旨を変えない範囲において、種々の変更、改変等が可能である。
【００２５】
【発明の効果】
以上説明したように本発明によれば、煩雑な接続形態をとることなく安全に複数の医療機器からのデータを管理・保存することができるという効果がある。
【図面の簡単な説明】
【図１】本発明の一実施の形態に係る外科手術システムの構成を示す構成図
【図２】図１の外科手術システムの変形例の構成を示す構成図
【符号の説明】
１…外科手術システム
２…内視鏡手術装置
３…患者モニタシステム
４…室内ＴＶカメラ
５…手術室サーバ
１１…電気メス
１２…気腹装置
１３…ＣＣＵ
１４…光源装置
１５…表示装置
１６…操作パネル
２０…システムコントローラ
２１，３０…電波無線Ｉ／Ｆ
６１…入力端末装置
７１…院内ＬＡＮ
８１…院内サーバ
【図１】
2005040202.tif 000003
【図２】
2005040202.tif 000004